(57)【要約】【課題】微量の弁開状態に容易に設定できるボールバルブを提供すること。【解決手段】ボール収容室１１とその両側部に設けられた一対の流体通路１２ａ，１２ｂとを有するバルブ本体１０と、前記バルブ本体１０内に配設された一対の環状弁座２０ａ，２０ｂと、前記一対の環状弁座２０ａ，２０ｂ間において回転軸の回りに回転可能に前記ボール収容室１１に収容され、前記回転軸に対して直交する方向に穿設された貫通孔３２を有するボール３０と、前記ボール３０の上端部と連結され、前記ボール３０を前記回転軸の回りに回転駆動する弁棒とを具備するボールバルブ１において、前記ボール３０を、前記貫通孔３２の両口縁部３３ａ，３３ｂの対向する側端部に、各々切り欠き溝３４ａ，３４ｂを形成したものとした。【選択図】        図４
2005009512.tif 000002
【特許請求の範囲】
【請求項１】
ボール収容室とその両側部に設けられた一対の流体通路とを有するバルブ本体と、前記バルブ本体内に配設された一対の環状弁座と、前記一対の環状弁座間において回転軸の回りに回転可能に前記ボール収容室に収容され、前記回転軸に対して直交する方向に穿設された貫通孔を有するボールと、前記ボールの上端部と連結され、前記ボールを前記回転軸の回りに回転駆動する弁棒とを具備するボールバルブにおいて、前記ボールは、前記貫通孔の両口縁部の対向する側端部に各々切り欠き溝が形成されていることを特徴とする、ボールバルブ。
【請求項２】
上記切り欠き溝が一定幅であることを特徴とする、請求項１に記載のボールバルブ。
【請求項３】
上記弁棒が電気式アクチュエータに連結されていることを特徴とする、請求項１又は２に記載のボールバルブ。
【発明の詳細な説明】
【０００１】
【発明の属する技術分野】
本発明は、ボールバルブに関するもので、特に、微量の弁開状態に容易に設定できるボールバルブに関するものである。
【０００２】
【従来の技術】
ボールバルブは、配管やタンク等に取付けられ、そこを流れる流体の制御に広く使用されている。
このボールバルブ１００は、一般的に、図６に示したようにボール収容室１１１とその両側部に設けられた一対の流体通路１１２ａ，１１２ｂとを有するバルブ本体１１０と、前記バルブ本体１１０内に配設された一対の環状弁座１２０ａ，１２０ｂと、前記一対の環状弁座１２０ａ，１２０ｂ間において回転軸の回りに回転可能に前記ボール収容室１１１に収容され、前記回転軸に対して直交する方向に穿設された貫通孔１３１を有するボール１３０と、前記ボール１３０の上端部と連結され、前記ボール１３０を前記回転軸の回りに回転駆動する弁棒（図示せず）とから構成され、前記弁棒をハンドル或いは電気式アクチュエータ等の操作部によって回転させ、前記ボール１３０を約９０度回動させることによって、弁を全開ないし全閉操作できる構造のものである。
【０００３】
【発明が解決しようとする課題】
ここで、上記ボールバルブ１００において、弁の開度を種々の状態に設定する必要がある場合、図６（ａ），（ｂ）に示した全開状態、図７（ａ），（ｂ）に示した半開状態等は容易にその設定が可能であるが、図８（ａ），（ｂ）に示した微量の弁開状態に設定することは、弁棒とボール、或いは弁棒と操作部等との間のアソビが絶無ではなく、ボールの回動誤差が生じ易いこと等を考慮すると、その設定は非常に困難なものであった。
【０００４】
特に、操作部として電気式アクチュエータを用い、電気制御によって弁の開度を自動的に設定しようとする場合、手動と異なり音等を頼りに弁開度の微調整を行うことはできず、ボールの回動誤差によって弁が全閉となること等を恐れ、比較的弁開度が広い状態に最小の弁開度を設定することが成されていた。
【０００５】
本発明は、上述した従来の技術が有する課題に鑑み成されたものであって、その目的は、微量の弁開状態に容易に設定できるボールバルブを提供することにある。
【０００６】
【課題を解決するための手段】
本発明に係るボールバルブは、上記した目的を達成するため、ボール収容室とその両側部に設けられた一対の流体通路とを有するバルブ本体と、前記バルブ本体内に配設された一対の環状弁座と、前記一対の環状弁座間において回転軸の回りに回転可能に前記ボール収容室に収容され、前記回転軸に対して直交する方向に穿設された貫通孔を有するボールと、前記ボールの上端部と連結され、前記ボールを前記回転軸の回りに回転駆動する弁棒とを具備するボールバルブにおいて、前記ボールを、前記貫通孔の両口縁部の対向する側端部に各々切り欠き溝を形成したものとした。
【０００７】
上記した本発明に係るボールバルブによれば、ボールに形成された上記切り欠き溝の存在により、微量の弁開状態と成るボールの位置が切り欠き溝の長さによって決定される所定の回転幅を有するものとなり、該回転幅内にボールを位置させれば、微量の弁開状態を達成できるものと成るため、微量の弁開状態に容易に設定できるボールバルブとなる。
【０００８】
ここで、上記本発明において、上記切り欠き溝を、一定幅の切り欠き溝に形成しても良く、この場合には、微量の弁開状態を、切り欠き溝の長さの範囲で更に微量の弁開状態に容易に微調整することができるボールバルブとなる。
【０００９】
また、上記本発明において、上記ボールを回転駆動する弁棒を、電気式アクチュエータに連結した構造のものとしても良く、この場合には、ボールバルブの開閉を電気的に制御することができ、しかも、弁の開度を微量の弁開状態を含む種々の状態に容易に電気的に設定することができるボールバルブとなる。
【００１０】
【発明の実施の形態】
以下に、上記した本発明に係るボールバルブの一実施の形態を、図面等を示して詳細に説明する。
【００１１】
ここで、図１は本発明に係るボールバルブの全体を示した縦断面図、図２は本発明に係るボールバルブのボール及び弁棒を示した斜視図、図３は本発明に係るボールバルブのボールを示した横断面図である。
【００１２】
図１に示したように、本発明に係るボールバルブ１は、バルブ本体１０と、前記バルブ本体１０内に配設された一対の環状弁座２０ａ，２０ｂと、前記一対の環状弁座２０ａ，２０ｂ間において回転可能に収容されたボール３０と、前記ボール３０を回転駆動する弁棒４０とから主に構成されている。
【００１３】
上記バルブ本体１０は、例えば鋳物製で、ボール収容室１１と、該ボール収容室１１に連通する状態でその両側部に設けられた一対の流体通路１２ａ，１２ｂとを有する筒状部材に形成されている。
【００１４】
上記バルブ本体１０の内部には、流体通路１２ｂ側（図１の右側）から、先ず上記一対の環状弁座２０ａ，２０ｂの一方の環状弁座２０ａが挿入され、続いて上記ボール３０が挿入され、次に他方の環状弁座２０ｂが挿入されている。そして、先に挿入された（図１の左側）環状弁座２０ａは、バルブ本体１０のボール収容室１１と流体通路１２ａとの間に形成された受け部１３により位置決めされている。
【００１５】
また、バルブ本体１０に形成された上記流体通路１２ａ，１２ｂの内周面には、各々雌ねじ１４ａ，１４ｂが形成され、外周部に雄ねじ１５が形成された内筒１６が、その雄ねじ１５を流体通路１２ｂ側（図１の右側）の雌ねじ１４ｂに螺合させることによって、バルブ本体１０のボール収容室１１と流体通路１２ｂとの間に螺着されている。この内筒１６により、後に挿入された（図１の右側）環状弁座２０ｂの抜けが防止されていると共に、バルブ本体１０内に挿入された上記一対の環状弁座２０ａ，２０ｂ、及びボール３０の位置決めが成されている。
なお、バルブ本体１０に形成された上記流体通路１２ａ，１２ｂには、各々図示しない配水管が接続される。
【００１６】
上記ボール３０は、上記一対の環状弁座２０ａ，２０ｂ間において回転可能に前記ボール収容室１１に収容されている。このボール３０の上端には、凹部３１が形成され、該凹部３１に、バルブ本体１０の周壁を貫通した弁棒４０の一端が嵌合され、該弁棒４０が図示しない電気式アクチュエータによって回転することにより、ボール３０が弁棒４０の軸芯を回転軸Ｘとして回動する。
【００１７】
また、ボール３０には、上記回転軸Ｘに直交し、且つボール３０の中心Ｏを通る直線Ｙを中心線とする円柱状の貫通孔３２が穿設されている。この貫通孔３２は、上記したバルブ本体１０に形成された一対の流体通路１２ａ，１２ｂを連通する通路として作用し、ボール３０を弁棒４０により回動させることにより、該貫通孔３２と流体通路１２ａ，１２ｂとの連通状態が変化し、流体通路１２ａ，１２ｂを開閉する。
【００１８】
ボール３０の上記貫通孔３２の両口縁部３３ａ，３３ｂの対向する側端部、具体的には、貫通孔３２の上記中心線となる直線Ｙを含む水平面上に位置する貫通孔３２の両口縁部３３ａ，３３ｂの４つの側端部の内、図３に示したように、対向する位置関係にある２つの側端部に、各々切り欠き溝３４ａ，３４ｂが形成されている。この切り欠き溝３４ａ，３４ｂは、一定幅に形成されている。
【００１９】
上記のように構成された本発明に係るボールバルブ１によれば、弁の開度を種々の状態に設定する必要がある場合、従来のボールバルブと同様に、図６（ａ），（ｂ）に示した全開状態、図７（ａ），（ｂ）に示した半開状態に当然容易に設定できると共に、図８（ａ），（ｂ）に示した微量の弁開状態に設定する場合には、本発明に係るボールバルブ１においては、ボール３０に形成した上記切り欠き溝３４ａ，３４ｂの存在により、図４、及び図５（ａ），（ｂ）に示したように、微量の弁開状態と成るボール３０の位置が、切り欠き溝３４ａ，３４ｂの長さに基づき決定される所定の回転幅αを有するものとなり、該回転幅αの存在が、ボール３０の回動誤差等を吸収し、微量の弁開状態にも容易に設定できるボールバルブとなる。
【００２０】
また、上記本発明の実施の形態に係るボールバルブ１にように、上記切り欠き溝３４ａ，３４ｂを、一定幅の切り欠き溝３４ａ，３４ｂに形成した場合には、微量の弁開状態を、図５（ａ），（ｂ）に示したように、該切り欠き溝３４ａ，３４ｂの長さの範囲で更に微量の弁開状態に容易に微調整することができるボールバルブとなる。
【００２１】
更に、上記本発明の実施の形態に係るボールバルブ１にように、ボール３０を回転駆動する弁棒４０を、電気式アクチュエータ（図示せず）に連結した構造のものとした場合には、ボールバルブ１の開閉を電気的に制御することができ、しかも、弁の開度を、上記した微量の弁開状態を含む種々の状態に容易に電気的に設定することができるボールバルブとなる。
【００２２】
以上、本発明に係るボールバルブの一実施の形態を説明したが、本発明は、何ら既述の実施の形態に限定されず、本発明の技術的思想、即ち、『開閉作用を果たすボールに切り欠き溝を形成し、微量の弁開状態に容易に設定できるボールバルブとする。』と言う技術的思想の範囲内において、種々の変形及び変更が可能であることは当然である。
【００２３】
【発明の効果】
以上に説明した本発明に係るボールバルブによれば、ボールに形成された切り欠き溝の存在により、微量の弁開状態と成るボールの位置が所定の回転幅を有するものとなり、微量の弁開状態に容易に設定できるボールバルブとなる効果がある。
【図面の簡単な説明】
【図１】本発明に係るボールバルブの全体を示した縦断面図である。
【図２】本発明に係るボールバルブのボール及び弁棒を示した分解斜視図である。
【図３】本発明に係るボールバルブのボールを示した横断面図であって、（ａ）は全体図、（ｂ）はＡ部の拡大図である。
【図４】本発明に係るボールバルブが微量な弁開状態にある場合を示した概念的な縦断面図である。
【図５】本発明に係るボールバルブが微量な弁開状態にある場合を示した概念的な側面図であって、（ａ）は図４の実線で示した角度にボールがある場合、（ｂ）図４の一点鎖線で示した角度にボールがある場合を各々示す。
【図６】ボールバルブが全開状態にある場合を示した概念図であって、（ａ）は縦断面図、（ｂ）は側面図である。
【図７】ボールバルブが半開状態にある場合を示した概念図であって、（ａ）は縦断面図、（ｂ）は側面図である。
【図８】ボールバルブが微量な弁開状態にある場合を示した概念図であって、（ａ）は縦断面図、（ｂ）は側面図である。
【符号の説明】
１    ボールバルブ
１０  バルブ本体
１１  ボール収容室
１２ａ，１２ｂ  流体通路
１３  受け部
１４ａ，１４ｂ  雌ねじ
１５  雄ねじ
１６  内筒
２０ａ，２０ｂ  環状弁座
３０  ボール
３１  凹部
３２  貫通孔
３３ａ，３３ｂ  口縁部
３４ａ，３４ｂ  切り欠き溝
４０  弁棒
【図１】
2005009512.tif 000003
【図２】
2005009512.tif 000004
【図３】
2005009512.tif 000005
【図４】
2005009512.tif 000006
【図５】
2005009512.tif 000007
【図６】
2005009512.tif 000008
【図７】
2005009512.tif 000009
【図８】
2005009512.tif 000010